(57)【要約】【課題】  同期マークの検出に基づき、制御情報列（ＡＤＩＰアドレス）の読み出しを行う情報記録再生装置において、制御情報列の再生不能状態からの復帰を早め、制御情報列の読み出し速度・効率を上げて可読性を高めることが可能な情報記録再生装置及び情報記録再生方法を提供することである。【解決手段】  ＡＤＩＰ１ワードの読み出し中において、検出が期待される情報と、実際に検出される情報との対比が行われることで、データビットおよび同期マークの検出失敗が監視される。そして同期マーク検出によりＡＤＩＰ読み出しが開始された場合に、ＡＤＩＰ１ワード中にデータビットの検出失敗が検知され、かつ、連続する次のＡＤＩＰアドレスの読み出し時において同期情報の検出失敗が検知されると、同期情報の検出失敗に起因して、データビットの検出が失敗していると判断することができ、同期情報の再読み出し動作に移行することができる。【選択図】  図７
2006085869.tif 000002
【特許請求の範囲】
【請求項１】
同期情報と所定数の制御情報とを備える制御情報列であって、該制御情報列に含まれる前記同期情報の検出に基づく同期タイミングに応じて、引き続き入力される所定数の前記制御情報が検出される情報記録媒体の情報記録再生装置であって、
前記制御情報の誤検出を検知する制御情報誤検出検知部または前記同期情報の誤検出を検知する同期情報誤検出検知部のうち少なくとも何れか一方と、
前記制御情報誤検出検知部または前記同期情報誤検出検知部のうち少なくとも何れか一方での誤検出の検知結果に基づき、前記同期情報の再検出動作を行う再検出動作判定部と
を備えることを特徴とする情報記録再生装置。
【請求項２】
前記制御情報誤検出検知部と前記同期情報誤検出検知部とを共に備え、
前記制御情報の誤検出は、前記制御情報の検出が期待される期間に前記同期情報が検出されることであり、
前記同期情報の誤検出は、前記同期情報の検出が期待される期間に前記制御情報が検出されることであり、
前記再検出動作判定部は、前記制御情報誤検出検知部と前記同期情報誤検出検知部との両方で誤検出の検知があった場合に前記同期情報の再検出動作を行うことを特徴とする請求項１に記載の情報記録再生装置。
【請求項３】
前記制御情報誤検出検知部と前記同期情報誤検出検知部とを共に備え、
前記制御情報の誤検出は、前記制御情報の検出が期待される期間に該制御情報が検出されないことであり、
前記同期情報の誤検出は、前記同期情報の検出が期待される期間に該同期情報が検出されないことであり、
前記再検出動作判定部は、前記制御情報誤検出検知部と前記同期情報誤検出検知部との両方で誤検出の検知があった場合に前記同期情報の再検出動作を行うことを特徴とする請求項１に記載の情報記録再生装置。
【請求項４】
前記再検出動作判定部は、
前記制御情報列に備えられている前記制御情報の検出時に、前記制御情報誤検出検知部が前記制御情報の誤検出を検知し、
連続する次の前記制御情報列に備えられている前記同期情報の検出時に、前記同期情報誤検出検知部が前記同期情報の誤検出を検知した場合に、前記同期情報の再検出動作を行うことを特徴とする請求項２または請求項３の何れか１項に記載の情報記録再生装置。
【請求項５】
前記制御情報誤検出検知部を備え、
前記再検出動作判定部は、
前記制御情報列に備えられている前記制御情報の検出時に、該制御情報の検出が期待される期間に該制御情報が検出されない旨の前記制御情報の誤検出が前記制御情報誤検出検知部で検知され、
連続する次の前記制御情報列に備えられている前記同期情報の検出時に、前記制御情報の検出が期待されない期間に該制御情報が検出される旨の前記制御情報の誤検出が前記制御情報誤検出検知部で検知されることに応じて、前記同期情報の再検出動作を行うことを特徴とする請求項１に記載の情報記録再生装置。
【請求項６】
前記同期情報誤検出検知部を備え、
前記再検出動作判定部は、
前記制御情報列に備えられている前記制御情報の検出時に、前記同期情報の検出が期待されない期間に該同期情報が検出される旨の前記同期情報の誤検出が前記同期情報誤検出検知部で検知され、
連続する次の前記制御情報列に備えられている前記同期情報の検出時に、前記同期情報の検出が期待される期間に該同期情報が検出されない旨の前記同期情報の誤検出が前記同期情報誤検出検知部で検知されることに応じて、前記同期情報の再検出動作を行うことを特徴とする請求項１に記載の情報記録再生装置。
【請求項７】
同期情報と所定数の制御情報とを備える制御情報列であって、該制御情報列に含まれる前記同期情報の検出に基づく同期タイミングに応じて、引き続き入力される所定数の前記制御情報が検出される情報記録媒体の情報記録再生装置であって、
１つの前記制御情報列に備えられている前記制御情報の検出時に前記同期情報がＮ回（Ｎは自然数）検出される場合に、ｉ番目（ｉは１からＮまで）に検出される前記同期情報を第ｉ検出同期情報として識別する同期情報識別部と、
前記第ｉ検出同期情報に基づく同期タイミングに応じて、引き続き入力される所定数の情報が取り込まれる第ｉ情報レジスタと、
該第ｉ情報レジスタの各々に対応して備えられ、該第ｉ情報レジスタに保持されている前記所定数の情報を訂正する第ｉエラー訂正回路と
を備えることを特徴とする情報記録再生装置。
【請求項８】
エラー訂正をすることができた前記第ｉエラー訂正回路に対応する前記第ｉ情報レジスタが選択され、前記第ｉ検出同期情報を前記同期情報とすることを特徴とする請求項７に記載の情報記録再生装置。
【請求項９】
全ての前記第ｉエラー訂正回路でエラー訂正をすることができないことに応じて前記同期情報の再検出動作を行う再検出動作判定部を備えることを特徴とする請求項７に記載の情報記録再生装置。
【請求項１０】
同期情報と所定数の制御情報とを備える制御情報列であって、該制御情報列に含まれる前記同期情報の検出に基づく同期タイミングに応じて、引き続き入力される所定数の前記制御情報が検出される情報記録媒体の情報記録再生方法であって、
前記制御情報の誤検出の検知をするステップまたは前記同期情報の誤検出の検知をするステップのうち少なくとも何れか一方と、
前記制御情報の誤検出の検知をするステップまたは前記同期情報の誤検出の検知をするステップのうち少なくとも何れか一方での誤検出の検知結果に基づき、前記同期情報の再検出動作を行うステップと
を備えることを特徴とする情報記録再生方法。
【発明の詳細な説明】
【技術分野】
【０００１】
本発明は、情報記録媒体の情報記録再生装置および情報記録再生方法に係る発明であり、特に、同期マークの検出に基づく同期タイミングにより、制御情報列の読み出しを行う情報記録媒体の情報記録再生装置および情報記録再生方法に関するものである。
【背景技術】
【０００２】
ＤＶＤに代表される大容量情報記録媒体のうち、情報の追記ができるＤＶＤ＋Ｒ（ＤＶＤ  Ｒｅｃｏｒｄａｂｌｅ）や、情報の書き換え（リライト）が可能なＤＶＤ＋ＲＷ（ＤＶＤ  ＲｅＷｒｉｔａｂｌｅ）では、レーザ光等の光源を誘導するガイド用のトラックであるランド（Ｌａｎｄ）トラックに挟まれたグルーブ（Ｇｒｏｏｖｅ）トラックを情報記録用トラックとして情報が記録されている。ランドトラックとグルーブトラックと呼ばれる領域の境目にあるウォブルと呼ばれる領域に、アドレスインプリグルーブ (Ａｄｄｒｅｓｓ  Ｉｎ  Ｐｒｅｇｒｏｏｖｅ、以下、ＡＤＩＰと記す)が予め記録されている。このＡＤＩＰの１ワード分を再生した結果、初めて１つの物理アドレスが得られ、当該物理アドレスをガイドにして、ライト・リード動作が行われる。
【０００３】
ＡＤＩＰアドレスの再生動作を開始する場合について説明する。ＡＤＩＰアドレスの再生機能を実現した従来の回路構成を図１１に、従来動作のタイミングチャートを図１２に示す。図１１は、従来のＡＤＩＰ再生部を示す図である。ＡＤＩＰ再生部にはＡＤＩＰビット検出回路１１１、誤検出カウンタ１２０、再検出動作判定回路１１７、ＡＤＩＰデータレジスタ１１２、ＥＣＣ訂正回路１１８、アドレス前後比較回路１１９が備えられる。ＡＤＩＰビット検出回路１１１にはＡＤＩＰデータＡＤＡＴが入力される。そしてＡＤＩＰビット検出回路１１１からは、ＡＤＩＰビットデータＡＢＤＴ、データビット検出失敗信号ＤＮＧが出力される。ＥＣＣ訂正回路１１８には、ＡＤＩＰデータレジスタ１１２から出力された訂正前ＡＤＩＰアドレスＡＤＢが入力される。アドレス前後比較回路１１９には、ＥＣＣ訂正回路１１８から出力された訂正後ＡＤＩＰアドレスＡＤＡが入力される。そしてアドレス前後比較回路１１９からは、１つの物理アドレスとして、ＡＤＩＰアドレスＡＡＤＤが出力される。
【０００４】
従来のＡＤＩＰ再生部の動作を図１２を用いて説明する。ＡＤＩＰデータＡＤＡＴがＡＤＩＰビット検出回路１１１に入力されると、デコードが開始される。そして時間Ｔ１０１（図１２）において、同期マーク（同期情報）が検出されることに応じて、シンク検出信号ＳＹＤのフラグが立つ（矢印Ｙ１０１）。このときシンクウインドウ発生信号ＳＹＷはハイレベル（シンクウインドウ開状態）である（矢印Ｙ１０４）。ここで、シンクウインドウ発生信号ＳＹＷはシンクウインドウの開閉を表し、シンクウインドウ発生信号ＳＹＷがハイレベル（ウインドウ開）の時に発生したシンク検出信号ＳＹＤは有効、シンクウインドウ発生信号ＳＹＷがローレベル（ウインドウ閉）の時に発生したシンク検出信号ＳＹＤは無効とされる。すなわちシンクウインドウ発生信号ＳＹＷのイネーブル信号の役割を有する。よってこの場合、シンク検出信号ＳＹＤは有効と判断され、ＡＤＩＰアドレスの再生動作がスタートされる。
【０００５】
ＡＤＩＰ再生動作中は、ＡＤＩＰの１ワード中のＡＤＩＰデータ５２ビットの各データビット（制御情報）が検出できたかが監視され、検出できた場合には各データビットごとにデータビット検出信号ＤＴＤのフラグが立つ（領域Ａ１００）。一方、データビット検出に失敗した場合には、データビット検出失敗信号ＤＮＧが、誤検出カウンタ１２０へ出力される（領域Ａ１０１）。誤検出カウンタ１２０では、再生動作中にデータビット検出失敗信号ＤＮＧが入力された回数である、失敗回数ＮＧＣＮＴがカウントされ、そのカウント数が所定の値（図１２では３回）に達した時にＡＤＩＰ再生動作が失敗であると判断される。するとハイレベルの再検出動作起動信号ＲＤが再検出動作判定回路１１７へ入力される（矢印Ｙ１０２）。再検出動作判定回路１１７に再検出動作起動信号ＲＤが入力されると、同期マークの再検出動作に移り、ＡＤＩＰアドレスの読み直し動作が開始される。また特許文献１および特許文献２には、ＡＤＩＰ再生部を備えたその他の情報記録再生装置の一例が開示されている。
【特許文献１】特開２００３−８５７４９号公報
【特許文献２】特開２００２−３４３０３５号公報
【発明の開示】
【発明が解決しようとする課題】
【０００６】
しかしながら従来の回路構成では、以下の課題が挙げられる。従来の場合、最初の同期マークの検出が誤検出である場合に問題が生ずる。例えば媒体欠陥等により、データビットが記録されている位置で、データビットを同期マークとして誤検出してしまった場合を図１３を用いて説明する。時間Ｔ１０１において、データビットが同期マークとして誤検出されると、シンク検出信号ＳＹＤが立ち（矢印Ｙ１０１）、ＡＤＩＰアドレスの再生動作がスタートされる。この場合、各データビットが所定の位置からずれて検出されることになる。すなわち実際のＡＤＩＰデータＡＤＡＴと、ＡＤＩＰ再生部のデータ復調タイミングにずれが発生しており、同期外れの状態である。しかし各データビット自身を読むことはできるため、データビット検出信号ＤＴＤが検出される（領域Ａ１０３）。そして時間Ｔ１０３において、同期マーク（正しいもの）が検出され、２回目のシンク検出信号ＳＹＤが立つ（矢印Ｙ１０３）が、このときシンクウインドウ発生信号ＳＹＷはローレベルでありシンクウインドウ閉状態であるため、２回目のシンク検出信号ＳＹＤは無効とされる。よってデータビット検出失敗信号ＤＮＧは、正しい同期マークが読まれた場合のみ発信され（矢印Ｙ１０５）され、失敗回数ＮＧＣＮＴは所定回数（３回）へ到達しないため、再検出動作起動信号ＲＤが発信されることがない。すなわち、検出が期待される情報の種類は見ておらず、失敗回数を観察しているために、誤検出カウンタ１２０により、同期外れであることを認識することができない。そしてその後もデータビット検出信号ＤＴＤが検出されるため、同期外れの状態のままＡＤＩＰアドレスの再生動作が続行されてしまう。
【０００７】
この場合、ＥＣＣ訂正回路１１８で間接的に同期外れを認識するまで、誤検出が続行される。すなわち、ＡＤＩＰデータレジスタ１１２からＥＣＣ訂正回路１１８へ入力される訂正前ＡＤＩＰアドレスＡＤＢが、ＥＣＣ訂正回路１１８で訂正不能となったときに、同期外れによって間違った訂正前ＡＤＩＰアドレスＡＤＢが入力されていると判断することができ、同期マークの再検出動作へ戻ることができる。しかしＥＣＣ訂正回路１１８も完全ではないため、同期外れしている誤った訂正前ＡＤＩＰアドレスＡＤＢが入力されたにもかかわらず、誤ったアドレスに形式上訂正できてしまう場合がある。訂正可能な場合にはさらにＡＤＩＰアドレスの再生を続行して、ＥＣＣ訂正回路１１８で誤り訂正処理を行う動作が繰り返され、誤り訂正が不能な訂正前ＡＤＩＰアドレスＡＤＢが入力された時点で、ようやく同期外れを検出できることになる。よってＥＣＣ訂正回路１１８で訂正不能のエラーが検出されるまでは同期外れを検出できないことになり、ＡＤＩＰアドレスの読み出し速度や効率などの可読性が低下するため問題である。
【０００８】
または、アドレス前後比較回路１１９で間接的に同期外れが認識されるまで、誤検出が続行される。すなわちアドレス前後比較回路１１９に入力される訂正後ＡＤＩＰアドレスＡＤＡの入力前後のアドレスが比較され、アドレス間に所定の連続性がないことが確認され、アドレス再生が正常に行われなかったと判断された場合に同期外れと判断することができ、同期マークの再検出動作へ移行することができる。しかしＡＤＩＰアドレスの読み出し開始時においては、アドレス間の連続性を確認するためには、少なくともさらにＡＤＩＰ１ワードの再生を行い、ＥＣＣ訂正回路１１８で訂正処理をして比較となる次のアドレスが得られるまでは、比較をすることができない。すなわち複数のアドレスがアドレス前後比較回路１１９に入力され、エラーが検出されるまでの期間は同期外れを検出できないことになり、ＡＤＩＰアドレスの可読性が低下するため問題である。
【０００９】
本発明は前記従来技術の課題の少なくとも１つを解消するためになされたものであり、同期マークの検出に基づく同期タイミングにより、制御情報列（ＡＤＩＰアドレス）の読み出しを行う情報記録媒体の情報記録再生装置において、同期マークの検出が誤検出である場合に、同期外れが発生していることを早期に検知でき、また、制御情報列の読み出し自体が失敗していることを早期に検知できることで、同期マークの再読み出し動作に早期に移行して、制御情報列の再生不能状態からの復帰を早めることができ、制御情報列の読み出し速度・効率を上げて可読性を高めることが可能な情報記録再生装置及び情報記録再生方法を提供することを目的とする。
【課題を解決するための手段】
【００１０】
前記目的を達成するために本発明の第１概念では、情報記録再生装置は、同期情報と所定数の制御情報とを備える制御情報列であって、該制御情報列に含まれる同期情報の検出に基づく同期タイミングに応じて、引き続き入力される所定数の制御情報が検出される情報記録媒体の情報記録再生装置であって、制御情報の誤検出を検知する制御情報誤検出検知部または同期情報の誤検出を検知する同期情報誤検出検知部のうち少なくとも何れか一方と、制御情報誤検出検知部または同期情報誤検出検知部のうち少なくとも何れか一方での誤検出の検知結果に基づき、同期情報の再検出動作を行う再検出動作判定部とを備えることを特徴とする。
【００１１】
制御情報列は、同期情報と所定数の制御情報とを備える。同期情報の検出に基づく同期タイミングに応じて、引き続き入力される所定数の制御情報が検出される。制御情報誤検出検知部は制御情報の誤検出を検知する。同期情報誤検出検知部は同期情報の誤検出を検知する。再検出動作判定部は、制御情報誤検出検知部または同期情報誤検出検知部のうち少なくとも何れか一方での誤検出の検知結果に基づき、同期情報の再検出動作を行う。これにより、制御情報列の迅速な再検出動作を行うことができる。
【００１２】
また本発明の第１概念では、制御情報誤検出検知部と同期情報誤検出検知部とを共に備え、制御情報の誤検出は、制御情報の検出が期待される期間に同期情報が検出されることであり、同期情報の誤検出は、同期情報の検出が期待される期間に制御情報が検出されることであり、再検出動作判定部は、制御情報誤検出検知部と同期情報誤検出検知部との両方で誤検出の検知があった場合に同期情報の再検出動作を行うことを特徴とする。
【００１３】
同期情報誤検出検知部は、誤検出（制御情報の検出が期待される期間に同期情報が検出された場合）を検知する。制御情報誤検出検知部は、誤検出（同期情報の検出が期待される期間に制御情報が検出された場合）を検知する。再検出動作判定部では、同期情報誤検出検知部および制御情報誤検出検知部の両方で誤検出の検知が行われると、制御情報列の再生が失敗していると判断し、同期情報の再検出動作を行う。
【００１４】
すなわち、制御情報列に備えられる同期情報と所定数の制御情報との検出中において、検出が期待される情報の種類と、実際に検出される情報の種類との対比が行われることで、制御情報、同期情報の検出の成否が監視される。そして、制御情報の検出失敗が検知され、かつ、同期情報の検出失敗が検知されると、同期情報の検出失敗によって制御情報の検出も失敗していると判断でき、同期情報の再検出動作に移行される。一方、例えば、制御情報の検出失敗が検知されたが、同期情報の検出失敗が検知されない場合には、同期情報の検出失敗ではないと判断することができる。これにより、同期情報の誤検出の迅速な検出と、確実な検出とを両立させることができるため、同期情報・制御情報の検出失敗状態からの復帰を早めることができる。よって同期情報・制御情報の検出速度・効率を上げて可読性を高めることができる。
【００１５】
また、本発明の第２概念に係る情報記録再生装置では、同期情報と所定数の制御情報とを備える制御情報列であって、該制御情報列に含まれる同期情報の検出に基づく同期タイミングに応じて、引き続き入力される所定数の制御情報が検出される情報記録媒体の情報記録再生装置であって、１つの制御情報列に備えられている制御情報の検出時に同期情報がＮ回（Ｎは自然数）検出される場合に、ｉ番目（ｉは１からＮまで）に検出される同期情報を第ｉ検出同期情報として識別する同期情報識別部と、第ｉ検出同期情報に基づく同期タイミングに応じて、引き続き入力される所定数の情報が取り込まれる第ｉ情報レジスタと、該第ｉ情報レジスタの各々に対応して備えられ、該第ｉ情報レジスタに保持されている所定数の情報を訂正する第ｉエラー訂正回路とを備えることを特徴とする。
【００１６】
また本発明の第２概念に係る情報記録再生装置では、エラー訂正をすることができた第ｉエラー訂正回路に対応する第ｉ情報レジスタが選択され、第ｉ検出同期情報を同期情報とすることを特徴とする。
【００１７】
同期情報識別部は、ある１つの制御情報列の再生時に同期情報がＮ回（Ｎは自然数）検出される場合には、ｉ番目（ｉは１からＮまで）に検出される同期情報を第ｉ検出同期情報として識別する。なお１つの制御情報列には１つの同期情報しか含まれないため、同期情報がＮ回検出される場合には、検出された何れか１つの同期情報のみが正しい同期情報であり、他の（Ｎ−１）つの検出された同期情報は誤検出された同期情報である。第ｉ情報レジスタには、第ｉ検出同期情報に基づく同期タイミングに応じて、引き続き入力される所定数の情報が取り込まれる。すなわち、Ｎ回検出される同期情報ごとに並行して情報の取り込みが行われる。第ｉエラー訂正回路は、第ｉ情報レジスタの各々に対応して備えられ、第ｉ情報レジスタに保持される所定数の情報のエラーを訂正する。エラー訂正をすることができた第ｉエラー訂正回路に対応する第ｉ情報レジスタが選択され、該第ｉ情報レジスタに保持された第ｉ検出同期情報が同期情報とされる。
【００１８】
これにより、Ｎ回検出される同期情報ごとに並行して所定数の情報を取り込んでおき、そのうち正しい同期情報の検出に基づく同期タイミングで取り込まれた所定数の情報を採用することで、検出・取り込み中の情報が間違った同期情報に基づいた情報であることが判明した時点で、再度正しい情報を最初から検出し直すのではなく、他の正しい同期情報に基づいて検出・取り込みが完了している情報に切り替えることが可能であり、情報の再検出に必要な時間を削減することができる。これにより、同期情報の誤検出からの迅速なリカバリと、確実な情報の検出とを両立させることができるため、同期情報・制御情報の検出失敗状態からの復帰を早めることができる。よって同期情報・制御情報の検出速度・効率を上げて可読性を高めることができる。
【発明の効果】
【００１９】
本発明の情報記録再生装置及び情報記録再生方法によれば、同期情報の検出に基づく同期タイミングに応じて、引き続き入力される所定数の制御情報が検出される情報記録媒体の情報記録再生装置において、制御情報列に備えられる同期情報と所定数の制御情報との検出中に、同期情報の検出失敗によって制御情報の検出も失敗していることを検知でき、早期に同期情報の再検出動作に移行することができる。
【発明を実施するための最良の形態】
【００２０】
以下、本発明の信号検出回路について具体化した実施形態を図１乃至図１０に基づき図面を参照しつつ詳細に説明する。本発明の第１実施形態を図１乃至図８を用いて説明する。本発明に関連するメディアの一例として、ＤＶＤ＋ＲＷの物理フォーマットの概略図を図１に示す。レーザ光等の光源を誘導するガイド用のトラックであるランドトラック５１を備え、ランドトラック５１に挟まれたグルーブトラック５０をＤＶＤデータ情報記録用トラックとしてＤＶＤデータが記録されている。ここで、光源から見て、グルーブトラック５０は凸部を形成し、ランドトラック５１は凹部を形成しており、凹凸のトラックが光ディスクの円周に沿って形成されている。ランドトラック５１とグルーブトラック５０と呼ばれる領域の境目にあるウォブル５２と呼ばれる領域に、アドレスインプリグルーブ (ＡＤＩＰ)が予め記録されている。
【００２１】
図２に、ＡＤＩＰのトラックフォーマット図を示す。図２は、ＤＶＤデータに対して、ＡＤＩＰ情報がどの様に配置されているかを示したものである。ＡＤＩＰの１ユニットはＤＶＤデータの２シンクフレームに一つの割合で記録されている。ウォブル領域には、ＤＶＤデータの２シンクフレームあたり９３ウォブルが記録されている。ＤＶＤデータに対して１６ウォブル手前にオフセットした位置から、８ウォブルの間にＡＤＩＰ１ユニットが記録されており、ＡＤＩＰ１ユニットはＡＤＩＰデータ１ビットまたは同期マークにデコードされる。
【００２２】
図３にＡＤＩＰワードの物理構成を示す。ＡＤＩＰデータ５２ビットにてＡＤＩＰの１ワード（訂正符号付）が構成される。ＡＤＩＰ１ワードの先頭に１つのＡＤＩＰ同期マーク（シンクユニット）があり、以降５１ビットのＡＤＩＰデータビット（データユニット）で構成される。ＡＤＩＰ１ワードの再生はＡＤＩＰ同期マークを検出することによって開始し、データをデコードしはじめると、ＡＤＩＰデータ５１ビット中に再度ＡＤＩＰ同期マークを検出することはない。ここでＤＶＤデータの２シンクフレームあたりに９３ウォブル（ＡＤＩＰデータ１ビット分の８ウォブルを含む）が記録されているため、ＡＤＩＰ１ワードは、９３ウォブル×５２＝４８３６ウォブルで構成される。
【００２３】
データデコードの方法を示す。図４に示すように、ＡＤＩＰ１ビットはＡＤＩＰ１ユニットの８ウォブルが”１１１１００００”のとき、ＡＤＩＰ同期マーク（ＡＤＩＰシンク）としてデコードされる。またＡＤＩＰ１ユニットの８ウォブルが”１０００００１１”のときはＡＤＩＰデータビット“０”、ＡＤＩＰ１ユニットの８ウォブルが”１０００１１００”のときはＡＤＩＰデータビット“１”に、それぞれデコードされる。
【００２４】
ＡＤＩＰワードの誤り訂正について示す。図５に示すように、ＡＤＩＰワードはニブル単位（４ＡＤＩＰデータビット)で並べ替えられる（インターリーブ方式による誤り訂正符号処理）。ＡＤＩＰ１ワードは、ＡＤＩＰデータ５２ビット（＝１３ニブル）で表され、さらにＡＤＩＰ１ワードは、「ＡＤＩＰアドレス（２４ビット）」＋「ＡＵＸデータ（８ビット）」＋「訂正符号（２０ビット）」で形成される。ＡＤＩＰワードはニブル単位でデータが処理され、誤り検出訂正は１３ニブルのうち最大で２ニブル、つまり、１〜８ビットの訂正が可能である。ＡＤＩＰ１ワードを再生できた結果、初めて１つの物理アドレスとして処理できる。
【００２５】
図６は、第１実施形態に係るＡＤＩＰ再生部１０を備えた情報記録媒体記録再生システム４０のシステム構成図である。情報記録媒体記録再生システム４０は、メディア４１、ピックアップ４２、リードチャネル部４３、情報の受信手段としてのコントローラ部４４、ＣＰＵ（中央演算装置）４５、メモリ４６及びホストインターフェイス４７を備えている。
【００２６】
そのメディア４１としては、例えば情報の追記ができるＤＶＤ＋Ｒや、情報の書き換えが可能なＤＶＤ＋ＲＷ等を好適に用いることができ、これらメディアには、音声用データまたは映像用データの他に、物理アドレスの情報としてＡＤＩＰ情報が記録されている。そのピックアップ４２は、メディア４１からデータを読み出して信号処理を行い、リードチャネル部４３に出力することができる。リードチャネル部４３は、クロックとＡＤＩＰデータＡＤＡＴとをコントローラ部４４に対して転送する。ＣＰＵ４５は、メモリ４６を使用しながらコントローラ部４４等を制御して、データをホストインターフェイス４７に対して転送する。ここで、各種データの再生に先立ち、データ検出のアドレスを知る必要からＡＤＩＰアドレスの再生を行う必要がある。このＡＤＩＰ再生部１０は、コントローラ部４４の一部として構成されており、リードチャネル部４３から出力されたＡＤＩＰデータＡＤＡＴの再生制御を行っている。ＡＤＩＰ再生部１０でＡＤＩＰの１ワード分を再生した結果、初めて１つの物理アドレスが得られ、当該物理アドレスをガイドにして、ライト・リード動作が行われる。
【００２７】
図７は第１実施形態に係るＡＤＩＰ再生部１０の構成を示す図である。ＡＤＩＰ再生部１０にはＡＤＩＰデータＡＤＡＴが入力され、ＡＤＩＰ再生部１０からは物理アドレスとしてＡＤＩＰアドレスＡＡＤＤが出力される。ＡＤＩＰ再生部１０は、ＡＤＩＰビット検出回路１１、ＡＤＩＰデータレジスタ１２、ウォブルカウンタ１３、取込ウインドウ発生器１４、ＡＤＩＰデータビット誤検出判定回路１５、ＡＤＩＰシンクビット誤検出判定回路１６、再検出動作判定回路１７、ＥＣＣ訂正回路１８、アドレス前後比較回路１９を備える。
【００２８】
ＡＤＩＰビット検出回路１１にはＡＤＩＰデータＡＤＡＴ、データウインドウ発生信号ＤＡＷ、シンクウインドウ発生信号ＳＹＷが入力される。またＡＤＩＰビット検出回路１１からは、シンク検出信号ＳＹＤ、ＡＤＩＰビットデータＡＢＤＴ、データビット検出信号ＤＴＤ、シンク検出信号ＳＹＤが出力される。ＡＤＩＰデータビット誤検出判定回路１５にはデータビット検出信号ＤＴＤおよびシンクウインドウ発生信号ＳＹＷが入力され、データビット誤検出フラグ信号ＤＡＭが出力される。ＡＤＩＰシンクビット誤検出判定回路１６にはシンク検出信号ＳＹＤおよびデータウインドウ発生信号ＤＡＷが入力され、シンク誤検出フラグ信号ＳＹＭが出力される。再検出動作判定回路１７にはデータビット誤検出フラグ信号ＤＡＭおよびシンク誤検出フラグ信号ＳＹＭが入力され、再検出動作実行フラグ信号ＲＤＥＴが出力される。
【００２９】
ＡＤＩＰアドレスの読み出し開始時に、読み出し開始のトリガとなる同期マークの検出が誤検出だった場合（例えば媒体欠陥等により、データビットを同期マークとして誤検出してしまった場合）を、図８のタイミングチャートを用いて説明する。読み出し動作が始まると、ＡＤＩＰビット検出回路１１にはＡＤＩＰデータＡＤＡＴの入力が開始される。ＡＤＩＰビット検出回路１１では、入力されるＡＤＩＰデータＡＤＡＴが、常時ＡＤＩＰビットデータＡＢＤＴにデコードされることで、所定周期ごとにデータビットまたは同期マークが得られる。また同時に同期マークを隈なく探すサーチ動作が行われる。このときハイレベルに維持されたシンクウインドウ発生信号ＳＹＷが、取込ウインドウ発生器１４からＡＤＩＰビット検出回路１１に入力され、シンクウインドウ開状態が維持されている（領域Ａ１）。そして時間Ｔ１において、データビットが同期マーク（シンク）として誤検出されると、シンク検出信号ＳＹＤがＡＤＩＰビット検出回路１１から発信される（矢印Ｙ１）。またシンクウインドウ発生信号ＳＹＷがハイレベル（ウインドウ開）である。ここで、シンクウインドウ発生信号ＳＹＷはシンクウインドウの開閉を表し、シンクウインドウ発生信号ＳＹＷがハイレベル（ウインドウ開）の時に発生したシンク検出信号ＳＹＤは有効、シンクウインドウ発生信号ＳＹＷがローレベル（ウインドウ閉）の時に発生したシンク検出信号ＳＹＤは無効とされる。すなわちシンクウインドウ発生信号ＳＹＷのイネーブル信号の役割を有する。よってシンク検出信号ＳＹＤは有効とされ、この有効な同期マークの検出をトリガにしてＡＤＩＰ再生動作がスタートされる。シンク検出信号ＳＹＤの発信後は、シンクウインドウ発生信号ＳＹＷは立下り（矢印Ｙ２）、次の同期マークの検出が予測されるＡＤＩＰ１ワード分後の期間（領域Ａ２）になるまでシンクウインドウ発生信号ＳＹＷはハイレベルとされない。
【００３０】
ＡＤＩＰビット検出回路１１から出力されたシンク検出信号ＳＹＤは、ＡＤＩＰデータレジスタ１２、ウォブルカウンタ１３およびＡＤＩＰシンクビット誤検出判定回路１６に入力される。シンク検出信号ＳＹＤが、ＡＤＩＰデータレジスタ１２に入力されると、ＡＤＩＰデータレジスタ１２はリセットされ、所定周期で入力されるデータビットをＡＤＩＰ１ワード（５２ビット）分保持する準備がなされる。
【００３１】
ウォブルカウンタ１３は、１ウォブル毎にカウントアップする、９３進のカウンタである。そしてシンク検出信号ＳＹＤが入力されると、ウォブルカウンタ１３がリセットされた上で、カウントアップが開始される。よってウォブルカウンタ１３から出力されるカウント値ＣＮＴにより、次のデータビットの位置が予測できるので、以降はデータビットの存在が予測されるタイミングで、取込ウインドウ発生器１４からハイレベルのデータウインドウ発生信号ＤＡＷをＡＤＩＰビット検出回路１１へ出力する（領域Ａ３）ことで、有効なデータビットを確実に取り込むことができる。また次の同期マークの位置が予測できるので、ＡＤＩＰ１ワードごとに、シンクウインドウ発生信号ＳＹＷをＡＤＩＰビット検出回路１１へ出力する（領域Ａ２）ことで、有効な同期マークを確実に取り込むことができる。
【００３２】
時間Ｔ２において、正しい同期マークが検出されると、ＡＤＩＰ１ワードの読み込み中における２回目のシンク検出信号ＳＹＤがＡＤＩＰビット検出回路１１から発信され（矢印Ｙ３）、ＡＤＩＰシンクビット誤検出判定回路１６に入力される。このとき、取込ウインドウ発生器１４からＡＤＩＰシンクビット誤検出判定回路１６に入力されるデータウインドウ発生信号ＤＡＷは、ハイレベル（データウインドウ開）であり、データビット検出が期待されている。よって検出期待データと実検出データとの間に差異が発生した（データビット検出が期待されているタイミングで、同期マークが検出された）ため、データビットの検出失敗である旨を報知するシンク誤検出フラグ信号ＳＹＭがＡＤＩＰシンクビット誤検出判定回路１６から出力される（矢印Ｙ４）。なお、データビット検出と同期マーク検出とは相補関係にあるため、データビット検出が期待されているタイミングと同期マーク検出が期待されないタイミングは同義となる。
【００３３】
そして次のＡＤＩＰ１ワードの先頭部（図８、時間Ｔ３）において、検出期待データ（同期マーク）と実検出データとの間に差異が発生するかが確認される。時間Ｔ３において次の同期マークが読み込まれることが予測されるため、取込ウインドウ発生器１４からハイレベルのシンクウインドウ発生信号ＳＹＷが発信され、シンクウインドウ開状態とされる（領域Ａ２）。このとき、時間Ｔ３においては実際にはデータビットが存在し、再度データビットが同期マークとして誤検出される確率は低いため、時間Ｔ３ではデータビットが検出される。データビットが検出されると、データビット検出信号ＤＴＤがＡＤＩＰビット検出回路１１から発信され（矢印Ｙ５）、ＡＤＩＰデータビット誤検出判定回路１５に入力される。このとき、取込ウインドウ発生器１４からＡＤＩＰデータビット誤検出判定回路１５に入力されるシンクウインドウ発生信号ＳＹＷは、ハイレベル（シンクウインドウ開）であり、同期マーク検出が期待されている。よって次のＡＤＩＰ１ワードの先頭部において、検出期待データと実検出データとの間に差異が発生した（同期マーク検出が期待されているタイミングで、データビットが検出された）ため、同期マークの検出失敗である旨を報知するデータビット誤検出フラグ信号ＤＡＭがＡＤＩＰデータビット誤検出判定回路１５から出力される（矢印Ｙ６）。
【００３４】
再検出動作判定回路１７には、ハイレベルのデータビット誤検出フラグ信号ＤＡＭ、およびハイレベルのシンク誤検出フラグ信号ＳＹＭの両者が入力されるため、同期マークの誤検出によってＡＤＩＰ再生の同期外れが発生していることが認識され、ＡＤＩＰアドレスの読み出しが失敗していると判断される。よって再検出動作判定回路１７からは再検出動作実行フラグ信号ＲＤＥＴが出力され（矢印Ｙ７）、同期マークの再検出動作に移行する。
【００３５】
再検出動作実行フラグ信号ＲＤＥＴは、ＡＤＩＰデータレジスタ１２、ウォブルカウンタ１３および不図示のＣＰＵ等に入力される。ＣＰＵ等に再検出動作実行フラグ信号ＲＤＥＴが入力されると、ＣＰＵによって読み出し駆動系が制御され、再度同期マークの検出が行われる。またＡＤＩＰデータレジスタ１２に再検出動作実行フラグ信号ＲＤＥＴが入力されると、ＡＤＩＰデータレジスタ１２はリセットされ、シンク検出信号ＳＹＤの待ちうけ状態とされる。またウォブルカウンタ１３に再検出動作実行フラグ信号ＲＤＥＴが入力されると、ウォブルカウンタ１３はリセットされ、シンク検出信号ＳＹＤの待ちうけ状態とされると共に、取込ウインドウ発生器１４にその旨を報知する。取込ウインドウ発生器１４からは、常時ハイレベルのシンクウインドウ発生信号ＳＹＷが出力され、いつでもシンク検出信号ＳＹＤを取り込み可能な状態とされる（領域Ａ４）。
【００３６】
そして時間Ｔ４において、同期マークの再検出が行われると、シンク検出信号ＳＹＤがＡＤＩＰビット検出回路１１から発信される（矢印Ｙ８）。またシンクウインドウ発生信号ＳＹＷがハイレベル（ウインドウ開）であるためシンク検出信号ＳＹＤは有効とされ、ＡＤＩＰ再生動作がスタートされる。これにより、同期マークの再検出動作が完了される。
【００３７】
すなわち、ＡＤＩＰ１ワードの読み出し中において、検出が期待される情報と、実際に検出される情報との対比が行われることで、データビットおよび同期マークの検出失敗が監視される。そして同期マーク検出によりＡＤＩＰ読み出しが開始された場合に、ＡＤＩＰ１ワード中にデータビットの検出失敗が検知され、かつ、連続する次のＡＤＩＰアドレスの読み出し時において同期情報の検出失敗が検知されると、同期情報の検出失敗に起因して、データビットの検出が失敗していると判断することができ、同期情報の再読み出し動作に移行することができる。
【００３８】
一方、あるＡＤＩＰ１ワードの読み出し中にデータビットの検出失敗が検知されたが、次のＡＤＩＰアドレスの読み出し時において同期情報の検出失敗が検知されない場合には、同期情報の検出失敗ではないと判断することができる。例えば図８において、最初の同期マーク（時間Ｔ１）の検出は正しく行われたが、ＡＤＩＰ再生中（時間Ｔ２）においてデータビットを同期マークとして誤検出した場合を説明する。この場合、ＡＤＩＰ１ワードの再生中の時間Ｔ２において、検出が期待される情報と実検出情報とが異なる（データビット検出が期待されている期間で、同期マークが検出された）ため、データビットの検出失敗である旨を報知するシンク誤検出フラグ信号ＳＹＭが、ＡＤＩＰシンクビット誤検出判定回路１６から出力される。しかし時間Ｔ１において同期マークが正しく検出されていることから、次のＡＤＩＰ１ワードの先頭部（時間Ｔ３）においては、同期マーク検出が期待される期間に同期マークが検出されるため、検出期待データと実検出データとの間に差異は発生しない。よってデータビット誤検出フラグ信号ＤＡＭは、ＡＤＩＰデータビット誤検出判定回路１５から出力されない。よって同期外れは発生していないと判断することができ、ＡＤＩＰ読み出し動作を続行することができる。
【００３９】
また一方、あるＡＤＩＰ１ワードの読み出し中にデータビットの検出失敗が検知されず、次のＡＤＩＰアドレスの読み出し時において同期情報の検出失敗が検知された場合にも、同期情報の検出失敗ではないと判断することができる。例えば図８において、最初の同期マーク（時間Ｔ１）の検出が行われ、ＡＤＩＰ再生中（時間Ｔ２）においてもデータビット検出が期待される期間にデータビットが検出されるが、次のＡＤＩＰ１ワードの先頭部（時間Ｔ３）においては、同期マーク検出が期待される期間にデータビットが検出されてしまう場合等である。この場合も、同期外れは発生していないと判断することができ、ＡＤＩＰ読み出し動作を続行することができる。
【００４０】
なお、ＥＣＣ訂正回路１８およびアドレス前後比較回路１９によっても、ＡＤＩＰアドレスの読み出し失敗を認識して、同期マークの再検出動作に移行することが可能である。ＡＤＩＰデータレジスタ１２は、ＡＤＩＰビット検出回路１１から入力されるＡＤＩＰビットデータＡＢＤＴをＡＤＩＰ１ワード（５２ビット）分保持し、訂正符号付のビット列を構成した上で、訂正前ＡＤＩＰアドレスＡＤＢとしてＥＣＣ訂正回路１８に出力する動作を行う。ＥＣＣ訂正回路１８では、ＡＤＩＰデータレジスタ１２から入力される訂正前ＡＤＩＰアドレスＡＤＢの訂正が行われる。訂正が成功した場合には、訂正後ＡＤＩＰアドレスＡＤＡ（５２ビット中の先頭２４ビット）が得られる。一方、訂正に失敗した場合には、訂正前ＡＤＩＰアドレスＡＤＢが誤っていたとして、ＡＤＩＰアドレスの読み直し動作に入るため、ＥＣＣ訂正回路１８から再検出動作判定回路１７へ、ＥＣＣ訂正失敗信号ＥＣＣＮＧが出力される。ＥＣＣ訂正失敗信号ＥＣＣＮＧが入力されると、再検出動作判定回路１７からはハイレベルの再検出動作実行フラグ信号ＲＤＥＴが出力されて、前述した同期マークの再検出動作が行われる。
【００４１】
またアドレス前後比較回路１９では、入力される訂正後ＡＤＩＰアドレスＡＤＡを、以前に入力された訂正後ＡＤＩＰアドレスＡＤＡと比較する動作が行われる。このときアドレス前後間に所定の連続性がある場合には、当該連続性を確認することにより、アドレス再生が正常に行われたかを確認している。そしてアドレス再生が正常に行われていると判断された場合には、ＡＤＩＰアドレスＡＡＤＤを１つの物理アドレスとして出力する。一方、アドレス再生が正常に行われていないと判断された場合には、ＡＤＩＰアドレスの読み直し動作に入るため、アドレス前後比較回路１９から再検出動作判定回路１７へアドレス再生失敗信号ＣＯＭＰＮＧが出力される。アドレス再生失敗信号ＣＯＭＰＮＧが入力されると、再検出動作判定回路１７からはハイレベルの再検出動作実行フラグ信号ＲＤＥＴが出力されて、前述した同期マークの再検出動作が行われる。
【００４２】
これにより、同期情報の誤検出の迅速な検出と、確実な検出とを両立させることができるため、制御情報列の再生不能状態からの復帰を早めることができ、制御情報列の読み出し速度・効率を上げて可読性を高めることができる。
【００４３】
なお本実施形態では、データビット検出が期待されているタイミングで同期マークが検出されたことが、ＡＤＩＰシンクビット誤検出判定回路１６で検出され、かつ、同期マーク検出が期待されているタイミングでデータビットが検出されたことが、ＡＤＩＰデータビット誤検出判定回路１５で検出されることで、同期ずれを認識し再検出動作に移行するとしている。すなわち同期マークとデータビットとの両者の検出を監視しているが、同期ずれの認識方法はこの形態に限られず、同期マークとデータビットとの何れか一方のみの検出を監視するとしてもよい。
【００４４】
例えばデータビットのみを監視するとして、図７において、ＡＤＩＰデータビット誤検出判定回路１５のみを備える構成としてもよい。そしてデータビット検出信号ＤＴＤに着目し、データビット検出信号ＤＴＤの検出が期待されるタイミングで検出されず（領域Ｒ１）、かつ、次の制御情報列の再生時に、データビット検出信号ＤＴＤの検出が期待されないタイミングで検出された（領域Ｒ２）ことに応じて、再検出動作実行フラグ信号ＲＤＥＴを出力する構成としてもよく、同様の効果が得られる。このとき、データビット検出信号ＤＴＤの検出が期待されるタイミングで検出されないことは、シンクウインドウ発生信号ＳＹＷがローレベル時にデータビット検出信号ＤＴＤが検出されないことで認識できる。またデータビット検出信号ＤＴＤの検出が期待されないタイミングで検出されることは、シンクウインドウ発生信号ＳＹＷがハイレベル時にデータビット検出信号ＤＴＤが検出されることで認識できる。これは、シンク検出信号ＳＹＤとデータビット検出信号ＤＴＤとが互いに相補・反転した関係を有し、また、シンクウインドウ発生信号ＳＹＷとデータウインドウ発生信号ＤＡＷとが互いに相補・反転した関係を有するためである。
【００４５】
また同様にして、例えば同期マークのみを監視するとして、図７において、ＡＤＩＰシンクビット誤検出判定回路１６のみを備える構成としてもよい。そしてシンク検出信号ＳＹＤに着目し、シンク検出信号ＳＹＤの検出が期待されないタイミングで検出され（領域Ｒ３）、次の制御情報列の再生時に、シンク検出信号ＳＹＤの検出が期待されるタイミングで検出されない（領域Ｒ４）ことに応じて再検出動作実行フラグ信号ＲＤＥＴを出力する構成としてもよく、同様の効果が得られる。このとき、シンク検出信号ＳＹＤの検出が期待されないタイミングで検出されることは、データウインドウ発生信号ＤＡＷがハイレベル時にシンク検出信号ＳＹＤが検出されることで認識できる。またシンク検出信号ＳＹＤの検出が期待されるタイミングで検出されないことは、データウインドウ発生信号ＤＡＷがローレベル時にシンク検出信号ＳＹＤが検出されないことで認識できる。
【００４６】
本発明の第２実施形態を図９および図１０を用いて説明する。図９は第２実施形態に係るＡＤＩＰ再生部１０ａを示す図である。ＡＤＩＰ再生部１０ａは、第１実施形態に係るＡＤＩＰ再生部１０と比較して、シンク識別回路３０、第１ＡＤＩＰデータレジスタ１２ａ、第２ＡＤＩＰデータレジスタ１２ｂ、第１ＥＣＣ訂正回路１８ａ、第２ＥＣＣ訂正回路１８ｂ、第２取込ウインドウ発生器１４ｂをそれぞれ備える。その他の構成は第１実施形態（図７）と同様であるため、ここでは説明を省略する。
【００４７】
シンク識別回路３０にはＡＤＩＰビット検出回路１１からシンク検出信号ＳＹＤが入力される。シンク識別回路３０からは第１シンク検出信号ＳＹＤ１が出力され、第１ＡＤＩＰデータレジスタ１２ａ、ウォブルカウンタ１３、第２取込ウインドウ発生器１４ｂに入力される。また第２シンク検出信号ＳＹＤ２が出力され、第２ＡＤＩＰデータレジスタ１２ｂ、ウォブルカウンタ１３、第２取込ウインドウ発生器１４ｂに入力される。また第２取込ウインドウ発生器１４ｂからは、第１シンクウインドウ発生信号ＳＹＷ１、第２シンクウインドウ発生信号ＳＹＷ２が出力される。
【００４８】
ＡＤＩＰアドレスの読み出し開始時に、読み出し開始のトリガとなる同期マークの検出が誤検出だった場合（例えば媒体欠陥等により、データビットを同期マークとして誤検出してしまった場合）を、図１０のタイミングチャートを用いて説明する。読み出し動作が始まると、ＡＤＩＰビット検出回路１１にはＡＤＩＰデータＡＤＡＴが入力される。ＡＤＩＰビット検出回路１１では、入力されるＡＤＩＰデータＡＤＡＴが、常時ＡＤＩＰビットデータＡＢＤＴにデコードされることで、所定周期ごとにデータビットまたは同期マークが得られる。また同時に同期マークを隈なく探すサーチ動作が行われる。このとき、ハイレベルの第１シンクウインドウ発生信号ＳＹＷ１が、第２取込ウインドウ発生器１４ｂからＡＤＩＰビット検出回路１１に入力されることで、第１シンクウインドウが開状態で維持されている（領域Ａ２１）。そして時間Ｔ２１において、データビットが同期マークとして誤検出されると、シンク検出信号ＳＹＤがＡＤＩＰビット検出回路１１から発信され（矢印Ｙ２１）再生動作がスタートされる。なおＡＤＩＰ１ワードには１つの同期マークしか含まれないため、同期マークが１ワード当たり複数回検出される場合には、検出された何れか１つの同期マークのみが正しい同期マークであり、他は誤検出された誤った同期マークである。
【００４９】
１回目のシンク検出信号ＳＹＤがシンク識別回路３０に入力されると、シンク識別回路３０から第１シンク検出信号ＳＹＤ１が出力され（矢印Ｙ２２）、第１ＡＤＩＰデータレジスタ１２ａ、ウォブルカウンタ１３、第２取込ウインドウ発生器１４ｂへ入力される。
【００５０】
第２取込ウインドウ発生器１４ｂでは、第１シンク検出信号ＳＹＤ１が入力されると、第１シンクウインドウ発生信号ＳＹＷ１は立下り（矢印Ｙ２３）、代わりに第２シンクウインドウ発生信号ＳＹＷ２がハイレベルとされる（矢印Ｙ２４）。また第１シンク検出信号ＳＹＤ１を検出すれば、ウォブルカウンタ１３によって次の同期マークの位置が予測できるので、第２取込ウインドウ発生器１４ｂからは、ＡＤＩＰ１ワードごとに第１シンクウインドウ発生信号ＳＹＷ１をＡＤＩＰビット検出回路１１へ出力する（領域Ａ２２）ことで、次の同期マークを確実に取り込むことができる。また第１ＡＤＩＰデータレジスタ１２ａでは、第１シンク検出信号ＳＹＤ１をトリガにして、ＡＤＩＰ１ワード分のデータの保持が開始される（矢印Ｙ２５）。
【００５１】
そして時間Ｔ２２において、同期マーク（正しいもの）がＡＤＩＰビット検出回路１１で検出されると、第２シンクウインドウ発生信号ＳＹＷ２はハイレベルであり第２シンクウインドウ開状態（データイネーブル）とされているため、ＡＤＩＰ１ワード期間中における２回目のシンク検出信号ＳＹＤがＡＤＩＰビット検出回路１１から発信され、シンク識別回路３０に入力される（矢印Ｙ２６）。ＡＤＩＰ１ワード中の２回目のシンク検出信号ＳＹＤがシンク識別回路３０に入力されると、シンク識別回路３０から第２シンク検出信号ＳＹＤ２が出力され（矢印Ｙ２７）、第１ＡＤＩＰデータレジスタ１２ａ、ウォブルカウンタ１３、第２取込ウインドウ発生器１４ｂへ入力される。
【００５２】
第２取込ウインドウ発生器１４ｂでは、第２シンク検出信号ＳＹＤ２が入力されると、第２シンクウインドウ発生信号ＳＹＷ２は立下がり、第２シンクウインドウは閉状態とされる（矢印Ｙ２８）。また、ウォブルカウンタ１３によって次の同期マークの位置が予測できるので、第２取込ウインドウ発生器１４ｂからは、ＡＤＩＰ１ワード分後の期間（領域Ａ２３）において、ハイレベルの第２シンクウインドウ発生信号ＳＹＷ２が出力される。
【００５３】
また第２ＡＤＩＰデータレジスタ１２ｂでは、第２シンク検出信号ＳＹＤ２をトリガにして、ＡＤＩＰ１ワード分のデータの保持が開始される（矢印Ｙ２９）。すなわち、１回目のシンク検出信号ＳＹＤを起点としてのＡＤＩＰアドレス再生と並行して、２回目以降のシンク検出信号ＳＹＤを起点としてのＡＤＩＰアドレス再生も行われる。
【００５４】
時間Ｔ２３において第１ＡＤＩＰデータレジスタ１２ａは、ＡＤＩＰビット検出回路１１から入力されるＡＤＩＰビットデータＡＢＤＴをＡＤＩＰ１ワード（５２ビット）分保持し、訂正符号付のビット列を構成した上で、訂正前第１ＡＤＩＰアドレスＡＤＢ１として第１ＥＣＣ訂正回路１８ａに出力する。同様に時間Ｔ２４において第２ＡＤＩＰデータレジスタ１２ｂは、ＡＤＩＰビット検出回路１１から入力されるＡＤＩＰビットデータＡＢＤＴからＡＤＩＰ１ワード分の訂正符号付のビット列を構成した上で、訂正前第２ＡＤＩＰアドレスＡＤＢ２として第２ＥＣＣ訂正回路１８ｂに出力する。第１ＥＣＣ訂正回路１８ａでは、訂正前第１ＡＤＩＰアドレスＡＤＢ１の訂正が試みられた結果、エラー訂正の成否にかかわらず、訂正後第１ＡＤＩＰアドレスＡＤＡ１として第１アドレスＡＤＤ１が得られる。また第２ＥＣＣ訂正回路１８ｂでは、訂正前第２ＡＤＩＰアドレスＡＤＢ２の訂正が試みられた結果、エラー訂正の成否にかかわらず、訂正後第２ＡＤＩＰアドレスＡＤＡ２として第２アドレスＡＤＤ２が得られる。そして第１アドレスＡＤＤ１、第２アドレスＡＤＤ２は、共にアドレス前後比較回路１９へ出力される。
【００５５】
そしてアドレス前後比較回路１９では、第１アドレスＡＤＤ１または第２アドレスＡＤＤ２のうちの何れか一方が、基準となるＡＤＩＰアドレスＡＡＤＤとして選択され、出力される動作が行われる。このとき、第１アドレスＡＤＤ１または第２アドレスＡＤＤ２のうち、一方が訂正可能な状態で得られたアドレスであり、他方が訂正不可能な状態で得られたアドレスであった場合には、エラー訂正可能な状態で得られた方のアドレスが正しいアドレスであると判断されて選択され、アドレス前後比較回路１９からＡＤＩＰアドレスＡＡＤＤとして出力される（矢印Ｙ３０）。なお訂正可能な状態で得られたアドレスかどうかは、アドレス前後比較回路１９に入力される、訂正不可である旨の第１ＥＣＣ訂正失敗信号ＥＣＣＮＧ１および第２ＥＣＣ訂正失敗信号ＥＣＣＮＧ２によって判断される。
【００５６】
一方、第１アドレスＡＤＤ１、第２アドレスＡＤＤ２の両方がエラー訂正可能な状態で得られたアドレスである場合には、何れか一方が選択されて、ＡＤＩＰアドレスＡＡＤＤとして選択され出力される（矢印Ｙ３０）。このとき選択方法としては例えば、先に入力される第１アドレスＡＤＤ１を優先的に選択する方法が挙げられる。また、両アドレスを比較することで、正しい同期マークで再生された方のアドレスを選択する方法が挙げられる。
【００５７】
これによりＡＤＩＰ再生部１０ａは、従来例に対して、ＡＤＩＰデータ処理回路をもう一組搭載しており、ＡＤＩＰ１ワードの再生中に検出した二度目の同期マークからもアドレスデータ再生を開始して、第２ＡＤＩＰデータレジスタ１２ｂに保持することで、２つのＡＤＩＰアドレス再生を並行して行い、正しい同期マークで再生された方のＡＤＩＰアドレスを選択することが可能となる。よって、読み出し中のＡＤＩＰアドレスが間違った同期マークに基づいたＡＤＩＰアドレスであることが判明した時点で、再度正しいＡＤＩＰアドレスを最初から読み直すのではなく、すぐに他の正しい同期情報に基づいた読出しが完了しているＡＤＩＰアドレスに切り替えることが可能であり、読み直しの時間を削減することができる。これにより、同期マークの誤検出からの迅速なリカバリと、確実なＡＤＩＰアドレスの読み出しとを両立させることができるため、ＡＤＩＰアドレスの再生不能状態からの復帰を早め、ＡＤＩＰアドレスの読み出し速度・効率を上げて可読性を高めることができる。
【００５８】
なお、第１ＥＣＣ訂正回路１８ａ、第２ＥＣＣ訂正回路１８ｂおよびアドレス前後比較回路１９によっても、ＡＤＩＰアドレスの読み出し失敗を認識して、同期マークの再検出動作に移行することが可能である。第１ＥＣＣ訂正回路１８ａおよび第２ＥＣＣ訂正回路１８ｂにおいて、共に訂正不可である場合には、訂正不可である旨の第１ＥＣＣ訂正失敗信号ＥＣＣＮＧ１および第２ＥＣＣ訂正失敗信号ＥＣＣＮＧ２が、再検出動作判定回路１７へ入力される。この場合、再検出動作判定回路１７からは、再検出動作実行フラグ信号ＲＤＥＴが出力されることで、同期マークの再検出動作に移行する。
【００５９】
また一方、第１ＥＣＣ訂正回路１８ａおよび第２ＥＣＣ訂正回路１８ｂにおいて共に訂正が可能である場合には、ＡＤＩＰアドレスの読み出し失敗を認識することが出来ない。しかしアドレス前後比較回路１９において、訂正後第１ＡＤＩＰアドレスＡＤＡ１および訂正後第２ＡＤＩＰアドレスＡＤＡ２が、前に読み出されたアドレスであって連続性を有するべきものとの比較が行われた場合に、共に連続性が確認されない場合がある。このときは、アドレス前後比較回路１９から再検出動作判定回路１７に対して、アドレス再生が正常に行われなかった旨の報知が、アドレス再生失敗信号ＣＯＭＰＮＧによって行われる。そして再検出動作判定回路１７からは、再検出動作実行フラグ信号ＲＤＥＴが出力され、同期マークの再検出動作に移行する。
【００６０】
なお、データビットは制御情報の一例、同期マークは同期情報の一例、ＡＤＩＰアドレスは制御情報列の一例、ＡＤＩＰデータビット誤検出判定回路１５は制御情報誤検出検知部の一例、ＡＤＩＰシンクビット誤検出判定回路１６は同期情報誤検出検知部の一例、再検出動作判定回路１７は再検出動作判定部の一例、シンク識別回路３０は同期情報識別部の一例、第１ＡＤＩＰデータレジスタ１２ａおよび第２ＡＤＩＰデータレジスタ１２ｂは第ｉ情報レジスタの一例、第１ＥＣＣ訂正回路１８ａおよび第２ＥＣＣ訂正回路１８ｂは第ｉエラー訂正回路のそれぞれ一例である。
【００６１】
尚、本発明は前記実施形態に限定されるものではなく、本発明の趣旨を逸脱しない範囲内で種々の改良、変形が可能であることは言うまでもない。第２実施形態において、ＡＤＩＰ再生部１０ａには、第１ＡＤＩＰデータレジスタ１２ａおよび第２ＡＤＩＰデータレジスタ１２ｂの２組のデータレジスタが搭載されるとしたが、この形態に限られない。搭載されるデータレジスタの数が増加されるほど、ＡＤＩＰ１ワードの読み出し中に許容される誤検出回数が増加するため、よりノイズの多い環境においてもＡＤＩＰアドレスの読み出し速度・効率を上げて可読性を高めることができることはいうまでもない。
【００６２】
また第１および第２実施形態で説明した機能は、ＡＤＩＰアドレスＡＡＤＤが正常に再生出来たことが確認された場合には、以後機能を停止する構成としてもよい。例えば第１実施形態（図７）において、同期マーク検出によりＡＤＩＰ読み出しが開始された場合に、ＡＤＩＰ１ワード中にデータビットの検出失敗が検知されず、かつ、連続する次のＡＤＩＰアドレスの読み出し時において同期情報の検出失敗が検知されない場合には、正しい同期マークの検出に成功し、正常にＡＤＩＰが再生されていることが分かる。よって以後は所定周期ごとに安定して同期マークを検出できることが予想されるため、ＡＤＩＰデータビット誤検出判定回路１５およびＡＤＩＰシンクビット誤検出判定回路１６の検出動作を中止すれば、これらの回路の誤作動を防止することや、ＡＤＩＰ再生部１０の省電力化等を図ることができる。また第２実施形態（図９）においても同様に、正しい同期マークの検出に成功し正常にＡＤＩＰが再生されていることが判明した場合には、シンク識別回路３０および第２ＡＤＩＰデータレジスタ１２ｂの検出動作を中止すれば、これらの回路の誤作動を防止することや、ＡＤＩＰ再生部１０ａの省電力化等を図ることができる。
【００６３】
また、第１および第２実施形態で説明した機能をマージして搭載したＡＤＩＰ再生部を構成することができることはいうまでもない。この場合、両実施形態に特徴的な回路であるＡＤＩＰデータビット誤検出判定回路１５、ＡＤＩＰシンクビット誤検出判定回路１６、シンク識別回路３０、第２ＡＤＩＰデータレジスタ１２ｂ、第２ＥＣＣ訂正回路１８ｂ、アドレス前後比較回路１９を搭載し、不図示の切替部によって、第１または第２実施形態で説明した再検出動作が選択できるように構成することが可能である。これにより、状況に応じてより適切な再検出動作を行わせることが可能となる。
【００６４】
またＡＤＩＰ再生部１０、１０ａは、第１および第２実施形態に示す構成により実現することができるが、構成方法として、電子回路部品等の組合せによるハードウェアにて構成することができることの他、再生動作の手続を一連のデータ処理手続として、ソフトウェアにより処理することも可能であることはいうまでもない。ここでソフトウェアで処理する場合、図６において、処理プログラムや演算結果等をメモリ４６に格納し、必要に応じて取り出し、コントローラ部４４において構成されるＤＳＰ等の演算処理プロセッサやＣＰＵ４５において、演算処理を実行することができる。
【００６５】
また第１および第２実施形態では、同期マーク検出によりＡＤＩＰ読み出しが開始された場合に、ＡＤＩＰ１ワード中にデータビットの検出失敗が検知され、かつ、連続する次のＡＤＩＰアドレスの読み出し時において同期情報の検出失敗が検知されると、同期情報の検出失敗に起因して、データビットの検出が失敗していると判断でき、同期情報の再読み出し動作に移行できるとしたが、この形態に限られない。例えば、ＡＤＩＰ１ワード中にデータビットの検出失敗が検知された場合には、その後所定数のＡＤＩＰアドレスの読み出し時における同期情報の検出の成否が観察され、何れかのＡＤＩＰアドレスの読み出し時において同期情報の検出失敗が検知されると、同期情報の検出失敗であると判断する形態でもよい。これにより、同期情報の検出失敗をより確実に検知することが可能となる。
【００６６】
ここで、本発明の技術思想により、従来技術における課題を解決するための手段を以下に列記する。  
（付記１）        
同期情報と所定数の制御情報とを備える制御情報列であって、該制御情報列に含まれる前記同期情報の検出に基づく同期タイミングに応じて、引き続き入力される所定数の前記制御情報が検出される情報記録媒体の情報記録再生装置であって、
前記制御情報の誤検出を検知する制御情報誤検出検知部または前記同期情報の誤検出を検知する同期情報誤検出検知部のうち少なくとも何れか一方と、
前記制御情報誤検出検知部または前記同期情報誤検出検知部のうち少なくとも何れか一方での誤検出の検知結果に基づき、前記同期情報の再検出動作を行う再検出動作判定部と
を備えることを特徴とする情報記録再生装置。
（付記２）      
前記制御情報誤検出検知部と前記同期情報誤検出検知部とを共に備え、
前記制御情報の誤検出は、前記制御情報の検出が期待される期間に前記同期情報が検出されることであり、
前記同期情報の誤検出は、前記同期情報の検出が期待される期間に前記制御情報が検出されることであり、
前記再検出動作判定部は、前記制御情報誤検出検知部と前記同期情報誤検出検知部との両方で誤検出の検知があった場合に前記同期情報の再検出動作を行うことを特徴とする付記１に記載の情報記録再生装置。
（付記３）        
前記制御情報誤検出検知部と前記同期情報誤検出検知部とを共に備え、
前記制御情報の誤検出は、前記制御情報の検出が期待される期間に該制御情報が検出されないことであり、
前記同期情報の誤検出は、前記同期情報の検出が期待される期間に該同期情報が検出されないことであり、
前記再検出動作判定部は、前記制御情報誤検出検知部と前記同期情報誤検出検知部との両方で誤検出の検知があった場合に前記同期情報の再検出動作を行うことを特徴とする付記１に記載の情報記録再生装置。
（付記４）      
前記再検出動作判定部は、
前記制御情報列に備えられている前記制御情報の検出時に、前記制御情報誤検出検知部が前記制御情報の誤検出を検知し、
連続する次の前記制御情報列に備えられている前記同期情報の検出時に、前記同期情報誤検出検知部が前記同期情報の誤検出を検知した場合に、前記同期情報の再検出動作を行うことを特徴とする付記２または付記３の何れか１項に記載の情報記録再生装置。
（付記５）      
前記制御情報誤検出検知部を備え、
前記再検出動作判定部は、
前記制御情報列に備えられている前記制御情報の検出時に、該制御情報の検出が期待される期間に該制御情報が検出されない旨の前記制御情報の誤検出が前記制御情報誤検出検知部で検知され、
連続する次の前記制御情報列に備えられている前記同期情報の検出時に、前記制御情報の検出が期待されない期間に該制御情報が検出される旨の前記制御情報の誤検出が前記制御情報誤検出検知部で検知されることに応じて、前記同期情報の再検出動作を行うことを特徴とする付記１に記載の情報記録再生装置。
（付記６）      
前記同期情報誤検出検知部を備え、
前記再検出動作判定部は、
前記制御情報列に備えられている前記制御情報の検出時に、前記同期情報の検出が期待されない期間に該同期情報が検出される旨の前記同期情報の誤検出が前記同期情報誤検出検知部で検知され、
連続する次の前記制御情報列に備えられている前記同期情報の検出時に、前記同期情報の検出が期待される期間に該同期情報が検出されない旨の前記同期情報の誤検出が前記同期情報誤検出検知部で検知されることに応じて、前記同期情報の再検出動作を行うことを特徴とする付記１に記載の情報記録再生装置。
（付記７）        
同期情報と所定数の制御情報とを備える制御情報列であって、該制御情報列に含まれる前記同期情報の検出に基づく同期タイミングに応じて、引き続き入力される所定数の前記制御情報が検出される情報記録媒体の情報記録再生装置であって、
１つの前記制御情報列に備えられている前記制御情報の検出時に前記同期情報がＮ回（Ｎは自然数）検出される場合に、ｉ番目（ｉは１からＮまで）に検出される前記同期情報を第ｉ検出同期情報として識別する同期情報識別部と、
前記第ｉ検出同期情報に基づく同期タイミングに応じて、引き続き入力される所定数の情報が取り込まれる第ｉ情報レジスタと、
該第ｉ情報レジスタの各々に対応して備えられ、該第ｉ情報レジスタに保持されている前記所定数の情報を訂正する第ｉエラー訂正回路と
を備えることを特徴とする情報記録再生装置。
（付記８）      
エラー訂正をすることができた前記第ｉエラー訂正回路に対応する前記第ｉ情報レジスタが選択され、前記第ｉ検出同期情報を前記同期情報とすることを特徴とする付記７に記載の情報記録再生装置。
（付記９）      
全ての前記第ｉエラー訂正回路でエラー訂正をすることができないことに応じて前記同期情報の再検出動作を行う再検出動作判定部を備えることを特徴とする付記７に記載の情報記録再生装置。
（付記１０）    
同期情報と所定数の制御情報とを備える制御情報列であって、該制御情報列に含まれる前記同期情報の検出に基づく同期タイミングに応じて、引き続き入力される所定数の前記制御情報が検出される情報記録媒体の情報記録再生方法であって、
前記制御情報の誤検出の検知をするステップまたは前記同期情報の誤検出の検知をするステップのうち少なくとも何れか一方と、
前記制御情報の誤検出の検知をするステップまたは前記同期情報の誤検出の検知をするステップのうち少なくとも何れか一方での誤検出の検知結果に基づき、前記同期情報の再検出動作を行うステップと
を備えることを特徴とする情報記録再生方法。
（付記１１）    
前記制御情報の誤検出の検知をするステップと前記同期情報の誤検出の検知をするステップとを共に備え、
前記制御情報の誤検出は、前記制御情報の検出が期待される期間に前記同期情報が検出されることであり、
前記同期情報の誤検出は、前記同期情報の検出が期待される期間に前記制御情報が検出されることであり、
前記制御情報の誤検出の検知をするステップと前記同期情報の誤検出の検知をするステップとの両方で誤検出の検知があった場合に前記同期情報の再検出動作を行うステップが行われることを特徴とする付記１０に記載の情報記録再生方法。
（付記１２）  
前記制御情報の誤検出の検知をするステップと前記同期情報の誤検出の検知をするステップとを共に備え、
前記制御情報の誤検出は、前記制御情報の検出が期待される期間に該制御情報が検出されないことであり、
前記同期情報の誤検出は、前記同期情報の検出が期待される期間に該同期情報が検出されないことであり、
前記制御情報の誤検出の検知をするステップと前記同期情報の誤検出の検知をするステップとの両方で誤検出の検知があった場合に前記同期情報の再検出動作を行うステップが行われることを特徴とする付記１０に記載の情報記録再生方法。
（付記１３）  
前記再検出動作を行うステップは、
前記制御情報列に備えられている前記制御情報の検出時に、前記制御情報の誤検出の検知をするステップが前記制御情報の誤検出を検知し、
連続する次の制御情報列に備えられている前記同期情報の検出時に、前記同期情報の誤検出の検知をするステップが前記同期情報の誤検出を検知した場合に、前記同期情報の再検出動作を行うステップが行われることを特徴とする付記１１または付記１２の何れか１項に記載の情報記録再生方法。
（付記１４）    
前記制御情報の誤検出の検知をするステップを備え、
前記同期情報の再検出動作を行うステップは、
前記制御情報列に備えられている前記制御情報の検出時に、該制御情報の検出が期待される期間に該制御情報が検出されない旨の前記制御情報の誤検出が前記制御情報の誤検出の検知をするステップで検知され、
連続する次の前記制御情報列に備えられている前記同期情報の検出時に、前記制御情報の検出が期待されない期間に該制御情報が検出される旨の前記制御情報の誤検出が、前記制御情報誤の誤検出の検知をするステップで検知されることに応じて、前記同期情報の再検出動作を行うステップが行われることを特徴とする付記１０に記載の情報記録再生方法。
（付記１５）  
前記同期情報の誤検出の検知をするステップを備え、
前記同期情報の再検出動作を行うステップは、
前記制御情報列に備えられている前記制御情報の検出時に、前記同期情報の検出が期待されない期間に該同期情報が検出される旨の前記同期情報の誤検出が、前記同期情報の誤検出の検知をするステップで検知され、
連続する次の前記制御情報列に備えられている前記同期情報の検出時に、前記同期情報の検出が期待される期間に該同期情報が検出されない旨の前記同期情報の誤検出が、前記同期情報の誤検出の検知をするステップで検知されることに応じて、前記同期情報の再検出動作を行うステップが行われることを特徴とする付記１０に記載の情報記録再生方法。
【図面の簡単な説明】
【００６７】
【図１】ＤＶＤ＋ＲＷの物理フォーマットを示す図である。
【図２】ＡＤＩＰトラックフォーマットを示す図である。
【図３】ＡＤＩＰ物理データ構成を示す図である。
【図４】ＡＤＩＰビット検出時の波形の構成を示す図である。
【図５】ＡＤＩＰの１ワードのビット構成を示す図である。
【図６】情報記録媒体記録再生システム４０を示す図である。
【図７】第１実施形態に係るＡＤＩＰ再生部１０を示す図である。
【図８】ＡＤＩＰ再生部１０のタイミングチャートである。
【図９】第２実施形態に係るＡＤＩＰ再生部１０ａを示す図である。
【図１０】ＡＤＩＰ再生部１０ａのタイミングチャートである。
【図１１】従来のＡＤＩＰ再生部を示す図である。
【図１２】従来のＡＤＩＰ再生部のタイミングチャート（その１）である。
【図１３】従来のＡＤＩＰ再生部のタイミングチャート（その２）である。
【符号の説明】
【００６８】
１０、１０ａ  ＡＤＩＰ再生部
１１  ＡＤＩＰビット検出回路
１２  ＡＤＩＰデータレジスタ
１２ａ  第１ＡＤＩＰデータレジスタ
１２ｂ  第２ＡＤＩＰデータレジスタ
１３  ウォブルカウンタ
１４  取込ウインドウ発生器
１４ｂ  第２取込ウインドウ発生器
１５  ＡＤＩＰデータビット誤検出判定回路
１６  ＡＤＩＰシンクビット誤検出判定回路
１７  再検出動作判定回路
３０  シンク識別回路
ＤＡＭ  データビット誤検出フラグ信号
ＤＡＷ  データウインドウ発生信号
ＤＮＧ  データビット検出失敗信号
ＤＴＤ  データビット検出信号
ＳＹＤ  シンク検出信号
ＳＹＤ１  第１シンク検出信号
ＳＹＤ２  第２シンク検出信号
ＳＹＭ  シンク誤検出フラグ信号
ＳＹＷ  シンクウインドウ発生信号
ＳＹＷ１  第１シンクウインドウ発生信号
ＳＹＷ２  第２シンクウインドウ発生信号
【図１】
2006085869.tif 000003
【図２】
2006085869.tif 000004
【図３】
2006085869.tif 000005
【図４】
2006085869.tif 000006
【図５】
2006085869.tif 000007
【図６】
2006085869.tif 000008
【図７】
2006085869.tif 000009
【図８】
2006085869.tif 000010
【図９】
2006085869.tif 000011
【図１０】
2006085869.tif 000012
【図１１】
2006085869.tif 000013
【図１２】
2006085869.tif 000014
【図１３】
2006085869.tif 000015